(57)【要約】【課題】リモート閃光装置の発光情報を記憶すること。【解決手段】リモート閃光装置２００ｒは、発光を促す発光指令を発生するカメラ１００から離間した位置において、発光指令に基づいて被写体を照明する閃光を発光するものであって、カメラ１００からの発光指令を受信し、発光指令を受信した後の、発光に関する発光情報をフラッシュメモリ２０３ｒに記憶する。【選択図】図１
2008185947.tif 000002
【特許請求の範囲】
【請求項１】
発光を促す発光指令を発生する指令装置から離間した位置において、前記発光指令に基づいて被写体を照明する閃光を発光するリモート閃光装置であって、
前記指令装置からの前記発光指令を受信する受信手段と、
前記受信手段で前記発光指令を受信した後の、発光に関する発光情報を記憶する記憶手段とを備えることを特徴とするリモート閃光装置。
【請求項２】
請求項１に記載のリモート閃光装置において、
前記記憶手段に記憶されている前記発光情報を前記指令装置に送信する送信手段をさらに備えることを特徴とするリモート閃光装置。
【請求項３】
発光を促す発光指令を発生する指令装置から離間した位置において、前記発光指令に基づいて被写体を照明する閃光を発光するリモート閃光装置であって、
前記指令装置からの前記発光指令を受信する受信手段と、
前記受信手段で前記発光指令を受信した後の、発光に関する発光情報を前記指令装置に送信する送信手段とを備えることを特徴とするリモート閃光装置。
【請求項４】
請求項１〜３のいずれか一項に記載のリモート閃光装置において、
前記発光情報は、発光の有無に関する情報、発光時の発光量に関する情報、および前記受信手段が前記発光指令を受信した時刻に関する情報の少なくともいずれかを含むことを特徴とするリモート閃光装置。
【請求項５】
離間した位置で閃光を発光するリモート閃光装置に対して、前記閃光の発光を促す発光指令を発生する指令装置であって、
前記発光指令を発した後で、前記リモート閃光装置から送信されてくる前記リモート閃光装置の発光に関する発光情報を受信する受信手段を備えることを特徴とする指令装置。
【請求項６】
請求項５に記載の指令装置において、
前記受信手段で受信した前記発光情報を表示する表示手段をさらに備えることを特徴とする指令装置。
【請求項７】
請求項５または６に記載の指令装置において、
前記指令装置は、被写体像を撮像して画像を取得する撮像装置、前記撮像装置に接続されたマスター閃光装置、または前記撮像装置の撮像動作をリモート制御可能な外部装置であることを特徴とする指令装置。
【請求項８】
請求項５または６に記載の指令装置において、
前記受信手段で受信した前記発光情報を、前記発光指令に関する情報と関連付ける関連付け手段をさらに備えることを特徴とする指令装置。
【請求項９】
請求項８に記載の指令装置において、
前記発光指令に関する情報は、撮像手段で撮像された被写体像の画像データを含み、
前記画像データと前記発光情報とを関連付けて記憶する記憶手段をさらに備えることを特徴とする指令装置。
【請求項１０】
請求項８または９に記載の指令装置において、
前記指令装置は、被写体像を撮像して画像を取得する撮像装置、または前記撮像装置の撮像動作をリモート制御可能な外部装置であることを特徴とする指令装置。
【請求項１１】
請求項５〜８のいずれか一項に記載の指令装置において、
前記発光情報は、発光の有無に関する情報、発光時の発光量に関する情報、および前記受信手段が前記発光指令を受信した時刻に関する情報の少なくともいずれかを含むことを特徴とする指令装置。
【請求項１２】
離間した位置で閃光を発光するリモート閃光装置に対して前記閃光の発光を促す発光指令を発生する指令装置と、前記発光指令に基づいて発光可能なリモート閃光装置からなる撮像システムであって、
前記リモート閃光装置は、
前記指令装置からの前記発光指令を受信する受信手段と、
前記受信手段で前記発光指令を受信した後の、発光に関する発光情報を前記指令装置に対して送信する送信手段とを備え、
前記指令装置は、
前記送信手段から送信されてきた前記発光情報を受信する受信手段を備えることを特徴とする撮像システム。
【請求項１３】
請求項１２に記載の撮像システムにおいて、
前記発光情報は、発光の有無に関する情報、発光時の発光量に関する情報、および前記受信手段が前記発光指令を受信した時刻に関する情報の少なくともいずれかを含むことを特徴とする撮像システム。
【請求項１４】
請求項１２または１３に記載の撮像システムであって、
前記指令装置は、前記受信手段で受信した前記発光情報を、前記発光指令に関する情報と関連付ける関連付け手段をさらに備えることを特徴とする撮像システム。
【請求項１５】
請求項１２〜１４のいずれか一項に記載の撮像システムにおいて、
前記指令装置は、前記受信手段で受信した前記発光情報を表示する表示手段をさらに備えることを特徴とする撮像システム。
【請求項１６】
請求項１２に記載の撮像システムであって、
前記指令装置は、被写体像を撮像して画像を取得する撮像装置、または前記撮像装置の撮像動作をリモート制御可能な外部装置であることを特徴とする撮像システム。
【請求項１７】
請求項１２または１３に記載の撮像システムであって、
前記指令装置は、被写体像を撮像して画像を取得する撮像装置に、前記リモート閃光装置に対して前記発光指令を発するマスター閃光装置が装着された撮像装置ユニットであることを特徴とする撮像システム。
【発明の詳細な説明】
【技術分野】
【０００１】
本発明は、被写体を照明するリモート閃光装置、リモート閃光装置に対して発光を指令する指令装置、およびリモート閃光装置と指令装置とを備える撮像システムに関する。
【背景技術】
【０００２】
次のようなカメラが知られている。このカメラは、閃光装置の使用が通常閃光撮影状態であるか日中シンクロ撮影状態であるかを判別し、日中シンクロ撮影状態であると判別した場合には、その旨を記憶媒体に記憶する（例えば、特許文献１）。
【０００３】
【特許文献１】特開平１−２９６２３０号公報
【発明の開示】
【発明が解決しようとする課題】
【０００４】
しかしながら、従来のカメラでは、カメラに接続された閃光装置に関する情報はカメラで取得して記憶することができるが、カメラに接続されていないリモート閃光装置に関する情報は、リモート閃光装置側に記憶しておくことができなかった。
【課題を解決するための手段】
【０００５】
本発明によるリモート閃光装置は、発光を促す発光指令を発生する指令装置から離間した位置において、発光指令に基づいて被写体を照明する閃光を発光するリモート閃光装置であって、指令装置からの発光指令を受信し、発光指令を受信した後の、発光に関する発光情報を記憶することを特徴とする。
本発明では、記憶されている発光情報を指令装置に送信することが好ましい。
本発明によるリモート閃光装置はまた、発光を促す発光指令を発生する指令装置から離間した位置において、発光指令に基づいて被写体を照明する閃光を発光するリモート閃光装置であって、指令装置からの発光指令を受信し、発光指令を受信した後の、発光に関する発光情報を指令装置に送信することを特徴とする。
本発明では、発光情報は、発光の有無に関する情報、発光時の発光量に関する情報、および発光指令を受信した時刻に関する情報の少なくともいずれかを含むことが好ましい。
本発明による指令装置は、離間した位置で閃光を発光するリモート閃光装置に対して、閃光の発光を促す発光指令を発生する指令装置であって、発光指令を発した後で、リモート閃光装置から送信されてくるリモート閃光装置の発光に関する発光情報を受信することを特徴とする。
本発明では、受信した前記発光情報を表示するようにしてもよい。この場合、指令装置は、被写体像を撮像して画像を取得する撮像装置、撮像装置に接続されたマスター閃光装置、または撮像装置の撮像動作をリモート制御可能な外部装置であることが好ましい。
また、受信した発光情報を、発光指令に関する情報と関連付けるようにしてもよく、発光指令に関する情報は、撮像手段で撮像された被写体像の画像データを含み、画像データと発光情報とを関連付けて記憶するようにしてもよい。この場合、指令装置は、被写体像を撮像して画像を取得する撮像装置、または撮像装置の撮像動作をリモート制御可能な外部装置であることが好ましい。
本発明による撮像システムでは、離間した位置で閃光を発光するリモート閃光装置に対して閃光の発光を促す発光指令を発生する指令装置と、発光指令に基づいて発光可能なリモート閃光装置からなる撮像システムであって、リモート閃光装置は、指令装置からの発光指令を受信し、発光指令を受信した後の、発光に関する発光情報を指令装置に対して送信する送信手段とを備え、指令装置は、送信されてきた発光情報を受信することを特徴とする。
この場合、指令装置は、被写体像を撮像して画像を取得する撮像装置、または撮像装置の撮像動作をリモート制御可能な外部装置であることが好ましい。また、指令装置は、被写体像を撮像して画像を取得する撮像装置に、リモート閃光装置に対して発光指令を発するマスター閃光装置が装着された撮像装置ユニットであってもよい。
【発明の効果】
【０００６】
本発明によれば、リモート閃光装置の発光情報をリモート閃光装置側に記憶したり、通信したりすることができる。また、この発光情報を受信した側では、この情報を使うことによる新たな利便性を得ることができる。例えば、撮影された画像と関連付けることによってストロボの発光結果と撮影画像とをつき合わせて、撮像結果の確認を行うことができる。
【発明を実施するための最良の形態】
【０００７】
図１は、本実施の形態における撮像システムの一実施の形態の構成を示すブロック図である。撮像システム１０は、カメラ１００と、マスター閃光装置２００ｍと、リモート閃光装置２００ｒとを備えている。カメラ１００は、マスター閃光装置２００ｍ、およびリモート閃光装置２００ｒに対して発光を促すための発光指令を発生する指令装置として動作する。なお、カメラ１００にストロボが内蔵されている場合には、このカメラ内蔵ストロボもマスター閃光装置２００ｍになり得るものである。
【０００８】
この撮像システム１０は、カメラ１００に装着され、カメラ１００からの発光指令に基づいて被写体を照明する閃光を発光するマスター閃光装置２００ｍと、カメラ１００から離間した位置において、カメラ１００からの発光指令（この発光指令は、マスター閃光装置２００ｍの発光部から発せられる通信用の閃光である）に基づいて被写体を照明する閃光を発光する少なくとも１台のリモート閃光装置２００ｒとで構成される。なお、図１では、撮像システム１０は、カメラ１００、マスター閃光装置２００ｍ、およびリモート閃光装置２００ｒをそれぞれ１台ずつ備える場合を示している。
【０００９】
なお、マスター閃光装置２００ｍとリモート閃光装置２００ｒとは、その構成がほぼ同一であるため、図１では、一致する要素については、付与する符号の数字部分を一致させて表している。そして、各要素に付与する符号の末尾にマスター閃光装置２００ｍにおいては「ｍ」を、リモート閃光装置２００ｒにおいては「ｒ」を付加することによって両者を区別する。本実施の形態では、マスター閃光装置２００ｍの構成を代表して説明し、リモート閃光装置２００ｒの構成については説明を省略する。
【００１０】
カメラ１００は、例えばデジタルスチルカメラであって、レンズ１０１と、撮像素子１０２と、画像処理回路１０３と、メモリインタフェース１０４と、メモリ１０５と、表示装置１０６と、操作部材１０７と、ＣＰＵ１０８と、フラッシュメモリ１０９と、閃光装置接続部１１０とを備えている。
【００１１】
レンズ１０１は、複数の光学レンズ群から構成される撮影光学系である。図１では複数の光学レンズ郡を代表して１枚のレンズで表している。なお、本実施の形態では、レンズ１０１はカメラ１００に搭載されている例について説明するが、レンズ１０１がカメラ１００に着脱可能な構成であってもよい。例えば、カメラ１００は、レンズ１０１を着脱可能な一眼レフカメラであってもよい。
【００１２】
撮像素子１０２は、例えばＣＣＤやＣＭＯＳが用いられ、レンズ１０１により結像した被写体像を撮像して画像を取得する。そして、取得した画像の画像信号を画像処理回路１０３へ出力する。なお、撮像素子１０３は、使用者による操作部材１０７に含まれるレリーズボタンが押下されることにより被写体像の撮像を行う。
【００１３】
画像処理回路１０３は、撮像素子１０２から入力されるアナログ画像信号をデジタル画像信号に変換（Ａ／Ｄ変換）する。また、画像処理回路１０３は、Ａ／Ｄ変換後のデジタル画像信号（画像データ）に対して、公知の階調補正処理や輪郭強調処理などの種々の画像処理を施した後、所定の画像形式に圧縮して画像ファイルを生成し、バッファメモリとしてのフラッシュメモリ１０９へ出力する。なお、本実施の形態では、画像処理回路１０３は、画像データをＪｐｅｇ形式の画像データに圧縮し、Ｊｐｅｇ形式の画像データに所定の付加情報、例えば画像の撮影時刻や被写体を照明するためにマスター閃光装置２００ｍやリモート閃光装置２００ｒに対して発光指令を発した時刻や発光指示量に関する情報（例えば、発光ガイドナンバーやモードなど）を付加したＥｘｉｆ形式の画像ファイルを生成するものとする。
【００１４】
そして、ＣＰＵ１０８は、画像ファイルをフラッシュメモリ１０９からメモリインタフェース１０４へ出力する。メモリインタフェース１０４は、例えばメモリカードスロットであって、スロット内に格納されたメモリ１０５、例えばメモリカード内に画像ファイルを記憶する。なお、画像ファイルは、メモリ１０５ではなくフラッシュメモリ１０９に記憶するようにしてもよい。
【００１５】
表示装置１０６は、例えばカメラ１００の背面に搭載されたＴＦＴモニタであって、ＣＰＵ１０８からの指示に基づいて、メモリ１０５内に記憶された画像の再生画像やカメラ１００を設定するためのメニュー画面等を表示する。操作部材１０７は、使用者によって操作される種々のスイッチやボタンを含んでいる。例えば、操作部材１０７には、電源ボタン、再生ボタン、モードスイッチ、レリーズボタン、ズームボタン、メニューボタン、十字ボタンなどが含まれる。
【００１６】
ＣＰＵ１０８は、カメラ１００が備える各要素を制御する。また、フラッシュメモリ１０９に記憶されたプログラムを読み込んで、後述する種々の処理を実行する。閃光装置接続部１１０は、後述するマスター閃光装置２００ｍまたは（前述の発光情報をリモート閃光装置２００ｒから通信するために）リモート閃光装置２００ｒを接続するための接続部であって、例えばホットシューが用いられる。また、ＣＰＵ１０８は、後述する発光指令時刻（換言すれば撮像時刻、またはレリーズ時刻）などを計時するための時計機能を備えている。
【００１７】
マスター閃光装置２００ｍは、カメラ接続部２０１ｍと、ＣＰＵ２０２ｍと、フラッシュメモリ２０３ｍと、発光制御回路２０４ｍと、発光部２０５ｍと、発光部から発光された光の光量を被写体を介さずに測光する発光モニター用センサ（以下、発光モニターとも称す）２０６ｍとを備えている。
【００１８】
カメラ１００とマスター閃光装置２００ｍとは、カメラ１００側の閃光装置接続部１１０と、マスター閃光装置２００ｍのカメラ接続部２１０ｍとを介して接続される。そして、カメラ１００とマスター閃光装置２００ｍとは、それぞれの接続部が備える接点、例えばホットシューの種々の端子のいずれか１つまたは複数を介して信号の送受信を行う。マスター閃光装置２００ｍは、カメラ１００から発光開始の指令（発光指令）があったときに、後述するように発光部２０５ｍ、例えばキセノン管から閃光を発光させて、被写体を照明する。
【００１９】
ＣＰＵ２０２ｍは、マスター閃光装置２００ｍが備える各要素を制御することでマスター閃光装置２００ｍ全体を制御する。フラッシュメモリ２０３ｍには、ＣＰＵ２０２ｍで実行される種々のプログラムが記憶されており、さらにＣＰＵ２０２ｍによってマスター閃光装置２００ｍの発光に関する情報（発光情報）が記憶される。なお、発光情報には、発光指令に対して発光を行ったか否かを示す情報（発光の有無に関する情報）、発光時の実際の発光量に関する情報、およびカメラ１００から発光指令を受信した時刻（または日時）に関する情報の少なくともいずれか、または全ての組み合わせが含まれる。
【００２０】
なお、ＣＰＵ２０２ｍは、時計機能を備えている。このＣＰＵ２０２ｍの時計機能の時刻は、カメラ側ＣＰＵ１０８の時計機能の時刻と時刻合わせがなされているものである。ＣＰＵ２０２ｍは、カメラ１００から発光指令を受信した場合には、その時刻をフラッシュメモリ２０３ｍに記憶し、さらに発光制御回路２０４ｍに対して発光開始を指示する。発光制御回路２０４ｍは、ＣＰＵ２０２ｍからの発光開始指示を検出した場合には、発光部２０５ｍを発光させて被写体を照明する。ＣＰＵ２０２ｍは、発光モニター用センサ２０６ｍを制御して発光時の実際の発光量（実測値）を計測する。そして、発光の有無に関する情報、および発光量に関する情報をフラッシュメモリ２０３ｍに記憶する。
【００２１】
そして、ＣＰＵ２０２ｍは、フラッシュメモリ２０３ｍに記憶した発光情報をカメラ接続部２０１ｍを介してカメラ１００へ送信する。ＣＰＵ１０８は、マスター閃光装置２００ｍから入力された発光情報をフラッシュメモリ１０９へ記憶し、この発光情報をマスター閃光装置２００ｍが発光したときに撮影された画像に関連付けを行った上でフラッシュメモリ１０９に記憶する。例えば、画像ファイルのＥｘｉｆ情報内に付加情報として発光情報を記憶する。すなわち、ＣＰＵ１０８は、マスター閃光装置２００ｍに対して発光を指示して画像を撮影したときに、画像処理回路１０３からフラッシュメモリ１０９へ出力された画像ファイルのＥｘｉｆ情報内に、マスター閃光装置２００ｍから受信した発光情報を格納する。
【００２２】
なお、ＣＰＵ２０２ｍは、カメラ１００からの発光指令の内容に、リモート閃光装置２００ｒも同時に発光させるための指示が含まれていた場合には、発光部２０５ｍを発光させることでリモート閃光装置２００ｒに対して発光指令を発する。すなわち、ＣＰＵ２０２ｍは、発光制御回路２０４ｍを制御して光通信によってリモート閃光装置２００ｒに対してリモート発光の指令を出す。
【００２３】
リモート閃光装置２００ｒにおいては、光通信部２０７ｒは、マスター閃光装置２００ｍからの光通信による発光指令を受信する。そして、ＣＰＵ２０２ｒは、マスター閃光装置２００ｍからの発光指令に基づいて、発光制御回路２０４ｒに対して発光開始を指示する。なお、発光部２０５ｍ、例えばキセノン管を発光させてリモート閃光装置２００ｒに対してリモート発光を指示する方法は公知のため、説明を省略する。また、ＣＰＵ２０２ｒは、時計機能を備えている。この時計機能の時刻は、カメラ側ＣＰＵ１０８の時計機能の時刻と時刻合わせがなされているものである。
【００２４】
リモート閃光装置２００ｒの発光制御回路２０４ｒは、ＣＰＵ２０２ｒからの指示に基づいて発光部２０５ｒから閃光を発光して被写体を照明する。このとき、ＣＰＵ２０２ｒは、マスター閃光装置２００ｍから発光指令を受信した時刻に関する情報、発光部２０５ｒの発光の有無に関する情報、および発光時に実際に発光した発光量に関する情報（発光モニター用センサ２０６ｒでの測光結果に基づくもの）を発光情報としてフラッシュメモリ２０３ｒに記憶する。ＣＰＵ２０２ｒは、マスター閃光装置２００ｍから発光指令を受信するごとに、リモート閃光装置２００ｒの発光情報をフラッシュメモリ２０３ｒに順次記憶して蓄積していく。
【００２５】
本実施の形態におけるカメラ１００においては、上述したように、マスター閃光装置２００ｍの発光情報を画像に関連付けて記憶するとともに、リモート閃光装置２００ｒの発光情報も画像に関連付けて記憶することができる。リモート閃光装置２００ｒの発光情報を画像に関連付けるためには、カメラ１００は、リモート閃光装置２００ｒの発光情報を取得する必要がある。このために、使用者はカメラ１００の閃光装置接続部１１０からマスター閃光装置２００ｍを取り外し、代わりに発光情報を取得したいリモート閃光装置２００ｒを接続する。そして、使用者は、カメラ１００のメニューを操作して、発光情報の更新（取得）を指示する。なお、この発光情報の取得動作は、閃光装置接続部１１０にリモート閃光装置２００ｒが接続されると自動的に開始されるように構成しても良い。
【００２６】
カメラ１００のＣＰＵ１０８は、使用者によって発光情報の更新が指示された場合には、閃光装置接続部１１０を介して装着されているリモート閃光装置２００ｒから発光情報を受信する。すなわち、リモート閃光装置２００ｒのＣＰＵ２０２ｒは、カメラ接続部２０１ｒを介してフラッシュメモリ２０３ｒに記憶されている発光情報をカメラ１００へ送信する。カメラ１００のＣＰＵ１０８は、リモート閃光装置２００ｒから発光情報を受信したことを検出した場合には、受信した発光情報をフラッシュメモリ１０９へ記憶する。なお、リモート閃光装置２００ｒが複数回発光した場合には、受信データの中に複数組の発光情報が含まれている。
【００２７】
ＣＰＵ１０８は、発光情報に含まれるリモート閃光装置２００ｒが発光指令を受信した時刻に関する情報に基づいて、その発光指令が出されたときに撮影された画像を特定する。具体的には、ＣＰＵ１０８は、メモリ１０５に記憶されている各画像ファイルのＥｘｉｆ情報に基づいて、カメラ１００が被写体を照明するためにリモート閃光装置２００ｒに対して発光指令を発した時刻、すなわちマスター閃光装置２００ｍに対してリモート閃光装置２００の発光指示を含む発光指令を送信した時刻（以下では、発光指令時刻、または撮像時刻、レリーズ時刻と称す）を特定する。そして、この発光指令時刻と受信した発光情報に含まれるリモート閃光装置２００ｒが発光指令を受けた時刻とを比較する。
【００２８】
そして、発光指令時刻（撮像時刻またはレリーズ時刻）がリモート閃光装置２００ｒが発光指令を受けた時刻に最も近い画像ファイルを、リモート閃光装置２００ｒに発光指令が出されたときに撮影された画像（発光指令に関する情報）として特定する。これによって、リモート閃光装置２００ｒから受信した発光情報と、リモート閃光装置２００ｒに対して発光指令が出されたときに撮影された画像、すなわち発光指令に関する情報とを関連付けることができる。
【００２９】
ＣＰＵ１０８は、このようにして特定した画像のＥｘｉｆ情報内に、画像が撮影されたときのリモート閃光装置２００ｒの発光情報を記憶して、メモリ１０５内の画像ファイルを更新する。もし、フラッシュメモリ１０９内にリモート閃光装置２００ｒの複数組の発光情報が記憶されている場合には、ＣＰＵ１０８は、全ての発光情報について同様の処理を行って、各画像ファイルのＥｘｉｆ情報内に対応するリモート閃光装置２００ｒの発光情報を記憶していく。
【００３０】
これによって、マスター閃光装置２００ｍやリモート閃光装置２００ｒを発光させて画像を撮影した場合には、これらの発光情報を画像に関連付けて記憶することができる。そして、各画像ファイルのＥｘｉｆ情報を閲覧することができるアプリケーション、例えば画像閲覧用アプリケーションソフトなどをパソコン等で使用することで、使用者は、画像撮影後にマスター閃光装置２００ｍやリモート閃光装置２００ｒの発光情報を、例えばパソコンに取り込んだ画像と共にパソコンのモニター上で確認することができる。
【００３１】
また、ＣＰＵ１０８は、マスター閃光装置２００ｍやリモート閃光装置２００ｒから発光情報を受信した場合には、発光情報に含まれる情報を表示装置１０６に表示するようにしてもよい。これによって、使用者はカメラ１００上でもマスター閃光装置２００ｍやリモート閃光装置２００ｒの発光情報を確認することができる。
【００３２】
図２は、本実施の形態におけるカメラ１００の処理を示すフローチャートである。図２に示す処理は、使用者によって操作部材１０７に含まれる電源ボタンが操作されることによって、カメラ１００の電源がオンされると起動するプログラムとしてＣＰＵ１０８によって実行される。
【００３３】
ステップＳ５において、ＣＰＵ１０８の時計機能で計時している時刻情報を、マスター閃光装置２００ｍのＣＰＵ２０２ｍとリモート閃光装置２００ｒのＣＰＵ２０２ｒに対して送信する。これにより、各ＣＰＵにおける時計機能間の時刻合わせを行う。なお、ＣＰＵ２０２ｍに対しては、カメラ接続部２０１ｍと閃光装置接続部１１０とを介して時刻合わせを行い、ＣＰＵ２０２ｒに対しては、光通信部２０７ｒを介して時刻合わせを行う。次に、ステップＳ１０に進む。
【００３４】
ステップＳ１０において、使用者によってマスター閃光装置２００ｍおよびリモート閃光装置２００ｒを発光させて画像を撮像するように指示されたか否かを判断する。否定判断した場合には、後述するステップＳ７０へ進む。これに対して、肯定判断した場合には、ステップＳ２０へ進む。ステップＳ２０では、閃光装置接続部１１０を介してマスター閃光装置２００ｍに対して発光指令を発する。このとき、発光指令としてマスター閃光装置２００ｍを発光させるための発光指令と、リモート閃光装置２００ｒを発光させるための発光指令を含めておく。その後、ステップＳ３０へ進む。
【００３５】
ステップＳ３０では、ＣＣＤ１０２で被写体像を撮像した画像に基づいて、画像処理回路１０３でＥｘｉｆ形式の画像ファイルを生成してフラッシュメモリ１０９へ記憶する。その後、ステップＳ４０へ進み、マスター閃光装置２００ｍから閃光装置接続部１１０を介して上述した発光情報を受信したか否かを判断する。肯定判断した場合には、ステップＳ５０へ進む。ステップＳ５０では、撮影して得た画像ファイルのＥｘｉｆ情報内にマスター閃光装置２００ｍから受信した発光情報を格納して画像と発光情報とを既述した手法を用いて関連付ける。そして、画像ファイルをメモリ１０５に記憶する。その後、ステップＳ６０へ進む。
【００３６】
ステップＳ６０では、マスター閃光装置２００ｍから受信した発光情報を表示装置１０６に表示して、ステップＳ７０へ進む。なお、このステップＳ６０では、発光情報そのものではなく、発光情報を受信した旨を示す情報のみを表示するようにしてもよい（いずれの情報を表示するかは、カスタム設定できるようにしておいてもよい）。
【００３７】
ステップＳ７０では、閃光装置接続部１１０にリモート閃光装置２００ｒが装着されたか否かを判断する。否定判断した場合には、後述するステップＳ１１０へ進む。一方、肯定判断した場合には、ステップＳ７５へ進む。ステップＳ７５では、使用者から発光情報の更新（取得）指示（操作）がなされたか否かを判断する。この指示（操作）によってカメラ側ＣＰＵ１０８は、リモート閃光装置側ＣＰＵ２０２ｒに対して発光情報の送信を促す指令を出す。否定判断した場合には、後述するステップＳ１１０へ進み、肯定判断した場合には、ステップＳ８０へ進む。
【００３８】
ステップＳ８０では、リモート閃光装置２００ｒから閃光装置接続部１１０を介して上述した発光情報を受信したか否かを判断する。肯定判断した場合には、ステップＳ９０へ進み、上述したように、リモート閃光装置２００ｒに対する発光指令時刻と発光情報に含まれるリモート閃光装置２００ｒが発光指令を受信した時刻に関する情報とを比較して、画像ファイルと発光情報とを関連付ける。そして、画像ファイルのＥｘｉｆ情報内に対応する発光情報を格納し、画像ファイルをメモリ１０５に記憶する。その後、ステップＳ１００へ進む。
【００３９】
ステップＳ１００では、リモート閃光装置２００ｒから受信した発光情報を表示装置１０６に表示して、ステップＳ１１０へ進む。なお、このステップＳ１００でも上述したステップＳ６０と同様な表示内容の変更が可能である。ステップＳ１１０では、使用者によって操作部材１０７に含まれる電源ボタンが操作されることによって、カメラ１００の電源がオフされたか否かを判断する。否定判断した場合には、ステップＳ１０へ戻って処理を繰り返す。これに対して、肯定判断した場合には、処理を終了する。
【００４０】
図３は、本実施の形態におけるマスター閃光装置２００ｍの処理を示すフローチャートである。図３に示す処理は、カメラ１００から発光指令を受信した場合に起動するプログラムとしてＣＰＵ２０２ｍによって実行される。
【００４１】
ステップＳ２１０において、発光指令の中にリモート閃光装置２００ｒへの発光指令が含まれていたか否かを判断する。否定判断した場合には、後述するステップＳ２３０へ進む。これに対して、肯定判断した場合には、ステップＳ２２０へ進む。ステップＳ２２０では、発光制御回路２０４ｍを制御して発光部２０５から閃光を発光させ、光通信によってリモート閃光装置２００ｒに対して発光指令を発する。その後、ステップＳ２３０へ進む。
【００４２】
ステップＳ２３０では、カメラ１００から受信した発光指令に基づいて発光制御回路２０４ｍを制御して発光部２０５ｍから閃光を発光させて被写体を照明する。その後、ステップＳ２４０へ進む。ステップＳ２４０では、発光部２０５ｍの発光の有無に関する情報、発光時の実際の発光量に関する情報、およびマスター閃光装置２００ｍが発光指令を受信した時刻に関する情報の少なくともいずれかを含む発光情報をフラッシュメモリ２０３ｍに記録する。その後、ステップＳ２５０へ進み、カメラ接続部２０１ｍを介して発光情報をカメラ１００へ送信し、処理を終了する。
【００４３】
図４は、本実施の形態におけるリモート閃光装置２００ｒの処理を示すフローチャートである。図４に示す処理は、マスター閃光装置２００ｍから発光指令を受信した場合に起動するプログラムとしてＣＰＵ２０２ｒによって実行される。
【００４４】
ステップＳ３１０において、カメラ１００から受信した発光指令に基づいて発光制御回路２０４ｒを制御して発光部２０５ｒから閃光を発光させて被写体を照明する。その後、ステップＳ３２０へ進み、カメラ接続部２０１ｒを介してリモート閃光装置２００ｒがカメラ１００に装着されたか否かを判断する。否定判断した場合には、ステップＳ３１０へ戻る。これに対して、肯定判断した場合には、ステップＳ３２５へ進む。ステップＳ３２５では、カメラ１００のＣＰＵ１０８から、発光情報のカメラ側への送信を指示する指令が届いたか否かを判断する。否定判断した場合はステップＳ３２５へ戻り、肯定判断した場合はステップＳ３３０へ進む。
【００４５】
ステップＳ３３０では、発光部２０５ｒの発光の有無に関する情報、発光時の発光量に関する情報、およびリモート閃光装置２００ｒが発光指令を受信した時刻に関する情報の少なくともいずれかを含む発光情報をフラッシュメモリ２０３ｒに記録する。その後、ステップＳ３４０へ進み、カメラ接続部２０１ｒを介して発光情報をカメラ１００へ送信し、処理を終了する。
【００４６】
以上説明した本実施の形態によれば、以下のような作用効果を得ることができる。
（１）リモート閃光装置２００ｒのＣＰＵ２０２ｒは、カメラからの発光指令を受信し、発光指令を受信した後の、発光に関する発光情報をフラッシュメモリ２０３ｒに記憶するようにした。これによって、従来は保持することができなかったリモート閃光装置２００ｒの発光情報を保持することができる。
【００４７】
（２）リモート閃光装置２００ｒは、カメラ接続部２０１ｒを介してリモート閃光装置２００ｒの発光情報をカメラ１００に送信するようにした。これによって、カメラ１００に対してリモート閃光装置２００ｒの発光情報を提供することができる。
【００４８】
（３）発光情報は、発光部２０５ｒの発光の有無に関する情報、発光時の発光量に関する情報、およびリモート閃光装置２００ｒが発光指令を受信した時刻に関する情報の少なくともいずれかを含むようにした。これによって、リモート閃光装置２００ｒの発光に関する詳細な情報を得ることができる。
【００４９】
（４）カメラ１００は、閃光装置接続部１１０を介して装着されたリモート閃光装置２００ｒから送信されてくる発光情報を受信するようにした。これによって、カメラ１００は、リモート閃光装置２００ｒの発光情報を取得することができる。
【００５０】
（５）カメラ１００においては、マスター閃光装置２００ｍまたはリモート閃光装置２００ｒから発光情報を受信した場合には、発光情報の内容を表示装置１０６に表示するようにした。これによって、使用者はカメラ１００上で発光情報を確認することができる。
【００５１】
（６）カメラ１００においては、リモート閃光装置２００ｒから受信した発光情報を発光指令に関する情報、すなわちリモート閃光装置２００ｒに対して発光指令が出されたときに撮影された画像と関連付けるようにした。これによって、各画像の撮影時における閃光装置の発光状況を特定することができるようになる。
【００５２】
（７）カメラ１００では、発光情報を関連付けた画像を記憶するようにした。これによって、後の処理において、画像に関連付けられた発光情報を取得して利用することができ、発光情報を有効に活用することができる。
【００５３】
―変形例―
なお、上述した実施の形態の撮像システムは、以下のように変形することもできる。
（１）上述した実施の形態では、マスター閃光装置２００ｍからリモート閃光装置２００ｒへの発光指令は、発光部２０５ｍを発光させることによる光通信によって行う例について説明した。しかしながら、マスター閃光装置２００ｍおよびリモート閃光装置２００ｒにそれぞれ無線ＬＡＮなどの無線通信を行うための無線ユニットを搭載して、無線通信によってマスター閃光装置２００ｍからリモート閃光装置２００ｒへの発光指令を行うようにしてもよい。
【００５４】
（２）上述した実施の形態では、マスター閃光装置２００ｍやリモート閃光装置２００ｒをカメラ１００の閃光装置接続部１１０、例えばホットシューに接続することによって、マスター閃光装置２００ｍやリモート閃光装置２００ｒからカメラ１００へ発光情報を送信する例について説明した。しかしながら、カメラ１００と各閃光装置２００ｍ、２００ｒにそれぞれ無線ＬＡＮなどの無線通信を行うための無線ユニットを搭載して、無線通信によって各閃光装置２００ｍ、２００ｒからカメラ１００へ発光情報を送信するようにしてもよい。また、カメラ１００に光通信部（受信部）を搭載し、リモート閃光装置２００ｒの発光部２０５ｒを発光させることによって光通信によってリモート閃光装置２００ｒからカメラ１００へ発光情報を送信するようにしてもよい。また、この場合において、上述の実施の形態で述べた時刻合わせ（図２のステップＳ５）動作も、これら無線ユニットを介して行うようにしてもよい。
【００５５】
（３）上述した実施の形態では、リモート閃光装置２００ｒをカメラ１００の閃光装置接続部１１０に接続することによって、リモート閃光装置２００ｒからカメラ１００へ発光情報を送信する例について説明した。しかしながら、リモート閃光装置２００ｒとマスター閃光装置２００ｍを無線または有線で接続し、リモート閃光装置２００ｒからマスター閃光装置２００ｍにリモート閃光装置２００ｒの発光情報を送信するようにしてもよい。この場合、マスター閃光装置２００ｍのＣＰＵ２０２ｍは、同じ画像が撮影されたときのマスター閃光装置２００ｍの発光情報とリモート閃光装置２００ｒの発光情報とを、発光情報に含まれる発光指令を受信した時刻に関する情報に基づいて関連付ける。そして、ＣＰＵ２０２ｍは、カメラ接続部２０１ｍを介して、関連付けた後の発光情報を１組の発光情報としてカメラ１００へ送信するようにしてもよい。そして、カメラ１００のＣＰＵ１０８は、マスター閃光装置２００ｍから受信した発光情報を画像に関連付けて記憶するようにしてもよい。
【００５６】
なお、この場合には、マスター閃光装置２００ｍにモニタ等の表示部材を搭載して、マスター閃光装置２００ｍがリモート閃光装置２００ｒから発光情報を受信したとき、当該モニタにリモート閃光装置２００ｒの発光情報を表示するようにしてもよい。また、リモート閃光装置２００ｒにモニタ等の表示部材を搭載して、発光情報をフラッシュメモリ２０３ｒに記録するとともに、当該モニタにリモート閃光装置２００ｒの発光情報を表示するようにしてもよい。
【００５７】
（４）上述した実施の形態では、発光情報には、発光部の発光の有無に関する情報、発光時の発光量に関する情報、および閃光装置が発光指令を受信した時刻に関する情報の少なくともいずれかを含む例について説明した。しかしながら、発光情報にはその他の情報を含むようにしてもよい。例えば、本発光や、本発光に先立って行うモニタ発光などの発光方式に関する情報を含むようにしてもよい。
【００５８】
（５）上述した実施の形態では、リモート閃光装置２００ｒへの発光指令は、マスター閃光装置２００ｍが発する例について説明した。しかしながら、リモート閃光装置２００ｒへの発光指令は、カメラ１００自身が、またはカメラの撮像動作をリモート制御可能な外部装置（例えばパソコンなど）が発してもよい。また、カメラ１００にマスター閃光装置２００ｍが装着された撮像装置ユニットが発してもよい。すなわち、カメラ１００、カメラの撮像動作をリモート制御可能な外部装置、またはカメラ１００にマスター閃光装置２００ｍが装着された撮像装置ユニットを指令装置として用いてもよい。
【００５９】
（６）上述した外部装置に、カメラ１００と情報通信が可能な通信部（無線または有線での通信が可能な通信部）を設け、その通信部を介して撮影画像と発光指令時刻と各閃光装置２００ｍ、２００ｒから取得した発光情報とをカメラ１００から受信するようにしてもよい。そして、上記実施の形態ではカメラ１００で行われていた撮影画像と発光情報との関連付け作業や、その関連付けられた発光情報を対応する各画像のＥｘｉｆ情報内に記録する作業を、外部装置内のＣＰＵで行うようにしてもよい。
【００６０】
また、外部装置の通信部を、マスター閃光装置２００ｍやリモート閃光装置２００ｒと直接情報通信できるように構成しておき、カメラ１００を介さずに各閃光装置２００ｍ、２００ｒから発光情報を受信するようにしてもよい。この場合も、カメラ１００から撮影画像と発光指令時刻とを受信するように構成しておき、上述の画像と発光情報との関連付け作業や、Ｅｘｉｆ情報への記録作業を外部装置内のＣＰＵで行えるようにしてもよい。
【００６１】
（７）上述した実施の形態においては、各装置のＣＰＵ間における時刻合わせを、カメラ１００の電源ＯＮと同時に自動的に行うように構成したが、任意のタイミングで時刻合わせを行うようにしてもよい。例えば、時刻合わせ用の操作部材をカメラ１００側に設けておき、その操作部材が操作されると時刻合わせ動作を行うようにしてもよい。
【００６２】
また、上述した実施の形態では、カメラ１００側のＣＰＵ１０８が計時している時刻を基準時刻として、このＣＰＵ１０８の時計機能の時刻に、各閃光装置の各ＣＰＵの時計機能の時刻を合わせるものとしているが、いずれかの閃光装置のＣＰＵ（２０２ｍまたは２０２ｒ）の計時する時刻を基準時刻とするようにしてもよい。その場合には、上述した実施の形態と同様に、基準時刻を計時するＣＰＵを備えた装置（マスター閃光装置２００ｍまたはリモート閃光装置２００ｒの一方）の電源がＯＮされたときに自動的に他の装置（他方の閃光装置およびカメラ１００）のＣＰＵに対して時刻情報を送信するようにしてもよいし、あるいは上述と同様に、時刻合わせ用の操作部材の操作に応じて任意のタイミングで時刻情報を送信するようにしてもよい。
【００６３】
なお、本発明の特徴的な機能を損なわない限り、本発明は、上述した実施の形態における構成に何ら限定されない。
【図面の簡単な説明】
【００６４】
【図１】撮像システムの一実施の形態の構成を示すブロック図である。
【図２】カメラ１００の処理を示すフローチャート図である。
【図３】マスター閃光装置２００ｍの処理を示すフローチャート図である。
【図４】リモート閃光装置２００ｒの処理を示すフローチャート図である。
【符号の説明】
【００６５】
１０  撮像システム、１００  カメラ、１０１  レンズ、１０２  撮像素子、１０３  画像処理回路、１０４  メモリインタフェース、１０５  メモリ、１０６  表示装置、１０７  操作部材、１０８  ＣＰＵ１０８  フラッシュメモリ、１１０  閃光装置接続部、２００ｍ  マスター閃光装置、２００ｒ  リモート閃光装置、２０１ｒおよび２０１ｍ  カメラ接続部、２０２ｍおよび２０２ｒ  ＣＰＵ、２０３ｍおよび２０３ｒ  フラッシュメモリ、２０４ｍおよび２０４ｒ  発光制御回路、２０５ｍおよび２０５ｒ  発光部、２０６ｍおよび２０６ｒ  発光モニター用センサ、２０７ｒ  光通信部
【図１】
2008185947.tif 000003
【図２】
2008185947.tif 000004
【図３】
2008185947.tif 000005
【図４】
2008185947.tif 000006